Podtech/llm-jp-corpus-v4-ja_patent huggingface dataset:
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
ギ酸生成能を有する菌株、その培養物、その破砕物またはその抽出物を有効成分として含む代謝症候群の予防または治療用薬剤学的組成物。
【請求項２】
上記菌株は、エンテロコッカス・フェシウム（Enterococcus faecium）ＫＲ１２７（寄託番号：KCTC 13135BP）、ペディオコッカス・ ペントサセウス（Pediococcus pentosaceus）ＮＫＲ６５４（寄託番号：KCTC 13137BP）及びエンテロコッカス・フェカーリス（Enterococcus faecalis）ＴＮ３（寄託番号：KCTC 13136BP）からなる群より選択された１種以上であることを特徴とする、請求項１に記載の薬剤学的組成物。
【請求項３】
上記代謝症候群は、肥満、糖尿、動脈硬化、高血圧、高脂血症、肝疾患、脳卒中、心筋梗塞、虚血性疾患及び心血管疾患からなる群より選択されることを特徴とする、請求項１又は請求項２に記載の薬剤学的組成物。
【請求項４】
上記菌株は、組成物総重量に対して１０７〜１０１２ｃｆｕ／ｇの含量で含まれることを特徴とする、請求項１から請求項３のうちのいずれか１項に記載の薬剤学的組成物。
【請求項５】
ギ酸生成能を有する菌株、その培養物、その破砕物またはその抽出物を有効成分として含む代謝症候群の予防または改善用食品組成物。
【請求項６】
上記菌株は、エンテロコッカス・フェシウムＫＲ１２７（寄託番号：KCTC 13135BP）、ペディオコッカス・ ペントサセウスＮＫＲ６５４（寄託番号：KCTC 13137BP）及びエン
テロコッカス・フェカーリスＴＮ３（寄託番号：KCTC 13136BP）からなる群より選択された１種以上であることを特徴とする、請求項５に記載の食品組成物。
【請求項７】
上記代謝症候群は肥満、糖尿、動脈硬化、高血圧、高脂血症、肝疾患、脳卒中、心筋梗塞、虚血性疾患及び心血管疾患からなる群より選択されることを特徴とする、請求項５又は請求項６に記載の食品組成物。
【請求項８】
上記菌株は組成物総重量に対して１０７〜１０１２ｃｆｕ／ｇの含量で含まれることを特徴とする、請求項５から請求項７のうちのいずれか１項に記載の食品組成物。
【請求項９】
上記菌株は体重脂肪を減少させ、血中コレステロール及び中性脂肪数値を減少させることを特徴とする、請求項５から請求項８のうちのいずれか１項に記載の食品組成物。
【請求項１０】
ギ酸生成能を有する菌株、その培養物、その破砕物またはその抽出物を有効成分として含む代謝症候群の予防または改善用健康機能食品。
【手続補正書】
【提出日】令和2年10月22日(2020.10.22)
【手続補正１】
【補正対象書類名】特許請求の範囲
【補正対象項目名】全文
【補正方法】変更
【補正の内容】
【特許請求の範囲】
【請求項１】
式（Ｉ）の構造を有する化合物、或いはその薬学的に許容可能な塩又は溶媒和物であって、
【化１】
2019535813.tif 000001
式中：
【化２】
2019535813.tif 000002
は、フェニル、或いは５員又は６員のヘテロアリール環であり；
【化３】
2019535813.tif 000003
は、フェニル、或いは５員又は６員のヘテロアリール環であり；
【化４】
2019535813.tif 000004
は、フェニル、或いは５員又は６員のヘテロアリール環であり；
Ｘは単結合、Ｃ１−Ｃ６アルキル、又はＣ１−Ｃ６ヘテロアルキルであり；
Ｒ１は、−Ｃ（＝Ｏ）ＯＲ６又は−Ｃ（＝Ｏ）Ｎ（Ｒ６）２であり；
各Ｒ２は独立してハロゲン、Ｃ１−Ｃ６アルキル、又はＣ１−Ｃ６アルコキシであり；
各Ｒ３、各Ｒ４、及び各Ｒ５はそれぞれ独立して、ハロゲン、Ｃ１−Ｃ６アルキル、Ｃ１−Ｃ６ハロアルキル、Ｃ１−Ｃ６アルコキシ、Ｃ１−Ｃ６ヘテロアルキル、−ＯＲ７、−Ｎ（Ｒ７）２、−ＣＮ、−Ｃ（＝Ｏ）Ｒ８、−Ｃ（＝Ｏ）ＯＲ７、−Ｃ（＝Ｏ）Ｎ（Ｒ７）２、−ＮＲ７Ｃ（＝Ｏ）Ｒ８、−ＮＲ７ＳＯ２Ｒ８、−ＳＯ２Ｒ８、又は−ＳＯ２Ｎ（Ｒ７）２であり；
各Ｒ６は独立して水素、Ｃ１−Ｃ６アルキル、又は−Ｃ１−Ｃ６アルキル−Ｙ−Ｒ９であり；
各Ｙは独立して、−Ｏ−、−Ｓ−、又は−Ｎ（Ｒ１０）−であり、
各Ｒ７は独立して、水素、Ｃ１−Ｃ６アルキル、Ｃ１−Ｃ６ハロアルキル、又はＣ１−Ｃ６ヘテロアルキルであり；
各Ｒ８は独立して、Ｃ１−Ｃ６アルキル又はＣ１−Ｃ６ヘテロアルキルであり；
各Ｒ９は独立して水素又はＣ１−Ｃ６アルキルであり；
各Ｒ１０は独立して水素又はＣ１−Ｃ６アルキルであり；
ｍは０、１、２、３、又は４であり；
ｎは０、１、２、３、又は４であり；
ｐは０、１、２、３、又は４であり；及び
ｑは０、１、２、又は３である、化合物。
【請求項２】
式（Ｉａ）の構造を有する、請求項１に記載の化合物：
【化５】
2019535813.tif 000005
【請求項３】
式（Ｉｂ）の構造、或いはその薬学的に許容可能な塩又は溶媒和物を有しており、
【化６】
2019535813.tif 000006
式中：
Ｘは単結合、Ｃ１−Ｃ６アルキル、又はＣ１−Ｃ６ヘテロアルキルであり；
Ｒ１は、−Ｃ（＝Ｏ）ＯＲ６又は−Ｃ（＝Ｏ）Ｎ（Ｒ６）２であり；
各Ｒ２は独立してハロゲン、Ｃ１−Ｃ６アルキル、又はＣ１−Ｃ６アルコキシであり；
各Ｒ３は独立して、ハロゲン、Ｃ１−Ｃ６アルキル、Ｃ１−Ｃ６ハロアルキル、Ｃ１−Ｃ６アルコキシ、Ｃ１−Ｃ６ヘテロアルキル、−ＯＲ７、−Ｎ（Ｒ７）２、−ＣＮ、−Ｃ（＝Ｏ）Ｒ８、−Ｃ（＝Ｏ）ＯＲ７、−Ｃ（＝Ｏ）Ｎ（Ｒ７）２、−ＮＲ７Ｃ（＝Ｏ）Ｒ８、−ＮＲ７ＳＯ２Ｒ８、−ＳＯ２Ｒ８、又は−ＳＯ２Ｎ（Ｒ７）２であり；
Ｒ４は水素またはＣ１−Ｃ６アルキルであり；
各Ｒ５は独立して、ハロゲン、Ｃ１−Ｃ６アルキル、Ｃ１−Ｃ６ハロアルキル、Ｃ１−Ｃ６アルコキシ、Ｃ１−Ｃ６ヘテロアルキル、−ＯＲ７、−Ｎ（Ｒ７）２、−ＣＮ、−Ｃ（＝Ｏ）Ｒ８、−Ｃ（＝Ｏ）ＯＲ７、−Ｃ（＝Ｏ）Ｎ（Ｒ７）２、−ＮＲ７Ｃ（＝Ｏ）Ｒ８、−ＮＲ７ＳＯ２Ｒ８、−ＳＯ２Ｒ８、又は−ＳＯ２Ｎ（Ｒ７）２であり；
各Ｒ６は独立して水素、Ｃ１−Ｃ６アルキル、又は−Ｃ１−Ｃ６アルキル−Ｙ−Ｒ９であり；
各Ｙは独立して、−Ｏ−、−Ｓ−、又は−Ｎ（Ｒ１０）−であり、
各Ｒ７は独立して、水素、Ｃ１−Ｃ６アルキル、Ｃ１−Ｃ６ハロアルキル、又はＣ１−Ｃ６ヘテロアルキルであり；
各Ｒ８は独立して、Ｃ１−Ｃ６アルキル又はＣ１−Ｃ６ヘテロアルキルであり；
各Ｒ９は独立して水素又はＣ１−Ｃ６アルキルであり；
各Ｒ１０は独立して水素又はＣ１−Ｃ６アルキルであり；
ｍは０、１、２、３、又は４であり；
ｎは０、１、２、３、又は４であり；及び
ｑは０、１、２、又は３である、請求項２に記載の化合物。
【請求項４】
Ｒ１は−Ｃ（＝Ｏ）ＯＲ６である、請求項３に記載の化合物。
【請求項５】
Ｒ６はＣ１−Ｃ６アルキルである、請求項４に記載の化合物。
【請求項６】
Ｒ１は−Ｃ（＝Ｏ）ＯＣＨ３、−Ｃ（＝Ｏ）ＯＣＨ２ＣＨ３、又は−Ｃ（＝Ｏ）ＯＣＨ（ＣＨ３）２である、請求項５に記載の化合物。
【請求項７】
Ｘは単結合である、請求項３乃至６の何れか１つに記載の化合物。
【請求項８】
ＸはＣ１−Ｃ６アルキルである、請求項３乃至６の何れか１つに記載の化合物。
【請求項９】
ｍは０であり、ｎは０であり、ｑは０である、請求項３乃至８の何れか１つに記載の化合物０。
【請求項１０】
Ｒ４は水素である、請求項３乃至９の何れか１つに記載の化合物。
【請求項１１】
Ｒ４はＣ１−Ｃ６アルキルである、請求項３乃至９の何れか１つに記載の化合物。
【請求項１２】
Ｒ４は−ＣＨ３である、請求項３乃至９の何れか１つに記載の化合物。
【請求項１３】
以下から選択される、請求項１に記載の化合物、或いはその薬学的に許容可能な塩又は溶媒和物：
【化７−１】
2019535813.tif 000007
【化７−２】
2019535813.tif 000008
【請求項１４】
薬学的に許容可能な希釈剤、賦形剤、又は結合剤、及び、請求項１乃至１３の何れか１つに記載の化合物或いはその薬学的に許容可能な塩又は溶媒和物を含む、医薬組成物。
【請求項１５】
皮膚老化、瘢痕化、乾癬、皮膚炎、湿疹、蕁麻疹、酒さ、熱傷、及びざ瘡から成る群から選択される、皮膚の疾患、障害、又は疾病の処置に使用される、請求項１４に記載の医薬組成物。
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
少なくとも１つのsiRNAを含む、連続全身投与用に製剤化された組成物であって、該siRNAはコード又は非コードのmRNAとハイブリダイズし、該ハイブリダイゼーションは、該mRNAの分解を誘導し、又はその翻訳若しくは発現、若しくは該mRNAがコードするタンパク質であって病的状態に関与するタンパク質の発現を阻害する、組成物の、該病的状態の予防及び/又は治療用医薬の製造のための使用。
【請求項２】
前記少なくとも１つのsiRNAは、酸性pHの緩衝液中、特にクエン酸緩衝液又はヒスチジン緩衝液中にある、請求項１に記載の使用。
【請求項３】
前記少なくとも１つのsiRNAは、無機又は有機塩、特に、カチオンがポリアミン、特にスペルミン、スペルミジン若しくはプトレッシンから選択される塩、又は、特に、カチオンが金属カチオンから選択される塩、特に、亜鉛、コバルト、銅、マンガン、カルシウム、マグネシウム若しくは鉄の塩、特にマンガン、亜鉛、マグネシウムから選択される塩の単独又は２つ若しくは３つの組合せが添加された酸性pHの緩衝液中にある、請求項２に記載の使用。
【請求項４】
前記組成物がアドレス指定剤を含み又は含まず、好ましくは、siRNAに共有結合しないアドレス指定剤を含む、請求項１〜３のいずれか１項に記載の使用。
【請求項５】
前記アドレス指定剤はCD36受容体リガンドであり、該CD36受容体リガンドは好ましくは酸化LDL、ヘキサレリン、長鎖脂肪酸又はそれらの２つ若しくは３つの組合せであり、該酸化LDLは１のsiRNAに対して0.01〜10、好ましくは0.1〜1の酸化LDLの重量比であり、該ヘキサレリンは１のsiRNAに対して0.01〜10、好ましくは0.1〜1のヘキサレリンの重量比である、請求項４に記載の使用。
【請求項６】
前記少なくとも１つのsiRNAはベクター化剤を含む溶液中にある、請求項１〜５のいずれか１項に記載の使用。
【請求項７】
前記siRNAはベクター化剤を含まない溶液中にある、請求項１〜５のいずれか１項に記載の使用。
【請求項８】
請求項１〜７のいずれか１項に規定の組成物の全身連続投与手段を提供する装置であって、該全身連続投与手段が特に浸透圧ポンプ、シリンジポンプ、エラストマーポンプ、蠕動ポンプ、「インテリジェント」ポンプ、「パッチ」ポンプ、又は高分子マトリックス若しくはヒトロゲル、又は全身に分布させるように該siRNAを低速で連続的に放出する他の生分解性化合物である、装置。
【請求項９】
前記病的状態がアンドロゲン受容体をコードするmRNA、トロンボスポンジン-１(TSP1)、FoxP3転写因子又は血管内皮増殖因子Ａ(VEGF)の発現に関連する、請求項１〜７のいずれか１項に記載の使用。
【請求項１０】
前記少なくとも１つのsiRNAが次のsiRNA：配列番号1〜52のsiAR-1、siAR-1b、siAR-2、siAR-2b、siAR-3、siAR-3b、siAR-4、siAR4b、siAR-5、siAR-5b、siVEGF-1、siVEGF-1b、siTSP1-1、siTSP1-1b、siTSP1-2、siTSP1-2b、siTSP1-3、siTSP1-3b、siTSP1-4、siTSP1-4b、siTSP1-5、siTSP1-5b、siFoxP3-1、siFoxP3-1b、siFoxP3-2、siFoxP3-2bの１つである、請求項１〜７及び９のいずれか１項に記載の使用。
【請求項１１】
前記siRNAが次のsiRNA：配列番号45〜52のsiFoxP3-1、siFoxP3-1b、siFoxP3-2又はsiFoxP3-2bの１つであり、FoxP3転写因子の発現に関連する病的状態用の医薬を製造するための請求項１〜７、９及び１０のいずれか１項に記載の使用。
【請求項１２】
前記siRNAが配列番号１又は２のsiAR-1であり、アンドロゲン受容体の発現に関連する病的状態用の医薬を製造するための請求項１〜７、９及び１０のいずれか１項に記載の使用。
【請求項１３】
前記少なくとも１つのsiRNAが化学修飾されていない又は化学修飾されている、請求項１〜７及び９〜１２のいずれか１項に記載の使用。
【請求項１４】
前記siRNAが少なくとも１つの抗血管新生剤若しくは抗腫瘍剤若しくは免疫治療剤又はこれら異なるクラスの薬剤の組合せと共に用いられる、請求項１〜７及び９〜１３のいずれか１項に記載の使用。
【請求項１５】
前記全身投与が皮下、腹腔内、静脈内、動脈内、心臓内、筋肉内、皮内、鼻腔内、膣内、直腸内、舌下、経口、クモ膜下腔内、脊髄内、硬膜外、呼吸、皮膚、経皮、経粘膜からなる群より選択される、請求項１〜７及び９〜１４のいずれか１項に記載の使用。
【請求項１６】
前記組成物が治療有効用量、特に0.005mg/kg/日〜30mg/kg/日、特に0.01mg/kg/日〜10mg/kg/日、より詳しくは0.01mg/kg/日〜２mg/kg/日の用量での投与用に製剤化される請求項１〜７及び９〜１５のいずれか１項に記載の使用。
【請求項１７】
前記病的状態は原発性腫瘍、転移性腫瘍、又は抑制若しくは免疫抑制細胞の存在に関連した病的状態であり、特に、肛門癌、盲腸癌、口癌、気管支及び/若しくは上気道癌、胆管癌、鼻腔及び副鼻腔癌、脳癌、心臓癌、子宮頸部癌、結腸癌、子宮体癌、胃癌、肝臓癌、唾液腺癌、喉癌、舌癌、唇癌、鼻咽頭癌、食道癌、骨癌、卵巣癌、膵臓癌、副甲状腺癌、陰茎癌、胸膜癌、肺癌、アンドロゲン非依存性前立腺癌、直腸癌、腎臓癌、乳癌、副腎癌、精巣癌、頭頸部癌、胸腺癌、甲状腺癌、尿道癌、膣癌、胆嚢癌、膀胱癌、外陰部癌、消化器癌、リンパ腫、黒色腫若しくは非黒色腫皮膚癌、骨髄腫、肉腫、白血病、中皮腫、胆管癌、骨肉腫、グリア芽腫、星状細胞腫、乏突起膠腫、軟骨肉腫、脂肪肉腫、横紋筋肉腫、褐色細胞腫、又は他の器官で発症した前記癌の転移であり、特に前立腺癌である、請求項１〜７及び９〜１６のいずれか１項に記載の使用。
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
尿酸レベルを下げることを、それを必要とする対象において行う方法において、
前記対象にウリカーゼ分子およびステロイドを投与することにおいて、前記ウリカーゼ分子および前記ステロイドが共に、前記対象における前記尿酸レベルを下げ、かつ前記低下が、ウリカーゼまたはステロイドを単独で投与したよりも大きい、ことを含むことを特徴とする方法。
【請求項２】
請求項１に記載の方法において、前記ステロイドが、前記ウリカーゼ分子の投与前に投与されることを特徴とする方法。
【請求項３】
請求項２に記載の方法において、前記ステロイドが、前記ウリカーゼ分子を投与する１０日、９日、８日、７日、６日、５日、４日、４日、３日、２日、１日、１８時間、１２時間、６時間、４時間、２時間、または１時間前に投与されることを特徴とする方法。
【請求項４】
請求項１に記載の方法において、前記ステロイドが、前記ウリカーゼ分子と同時に投与されることを特徴とする方法。
【請求項５】
請求項１に記載の方法において、前記ステロイドが、前記ウリカーゼ分子の投与後に投与されることを特徴とする方法。
【請求項６】
請求項５に記載の方法において、前記ステロイドが、前記ウリカーゼ分子を投与して１０日、９日、８日、７日、６日、５日、４日、４日、３日、２日、１日、１８時間、１２時間、６時間、４時間、２時間、または１時間後に投与されることを特徴とする方法。
【請求項７】
尿酸レベルを下げることを、それを必要とする対象において行う方法において、
前記対象にウリカーゼ分子およびステロイドを投与することにおいて、前記ウリカーゼ分子が、前記対象における尿酸レベルを下げるのに十分な用量および／または回数で投与されることと、
前記尿酸レベルが、前記ウリカーゼ分子に応答して低下した後に、前記ウリカーゼ分子の前記投与を中止することと、
前記ウリカーゼ分子の前記投与を中止した後に、第２非ウリカーゼ尿酸低下療法を施すことと、
を含むことを特徴とする方法。
【請求項８】
請求項７に記載の方法において、前記第２非ウリカーゼ尿酸低下療法が、キサンタニンオキシダーゼ阻害剤、アロプリノール、およびフェブキソスタットから選択される経口尿酸降下薬（ＵＬＡ）であることを特徴とする方法。
【請求項９】
請求項７または８に記載の方法において、前記ウリカーゼ分子を中止した後に、前記対象の血清尿酸レベルが≦６ｍｇ／ｄＬであることを特徴とする方法。
【請求項１０】
請求項７〜９のいずれか一項に記載の方法において、前記対象の血清尿酸レベルが、前記ウリカーゼ分子を中止した後６か月以上の間、≦６ｍｇ／ｄＬであることを特徴とする方法。
【請求項１１】
請求項１〜１０のいずれか一項に記載の方法において、治療期間が、４〜１０日ごとに１回、前記ウリカーゼ分子の用量を投与することを含むことを特徴とする方法。
【請求項１２】
請求項１〜１０のいずれか一項に記載の方法において、前記治療期間が、７日ごとに１回、前記ウリカーゼ分子の用量を投与することを含むことを特徴とする方法。
【請求項１３】
請求項１〜１０のいずれか一項に記載の方法において、前記治療期間が、
前記ウリカーゼ分子の第１用量および前記ステロイドの第１用量を投与することと、
その後、前記治療期間中に１４日ごとに前記ウリカーゼ分子および前記ステロイドの次の用量を投与することと、
を含むことを特徴とする方法。
【請求項１４】
請求項１３に記載の方法において、前記第１用量から７日後に、前記ウリカーゼ分子および前記ステロイドの更なる用量を投与することをさらに含むことを特徴とする方法。
【請求項１５】
請求項１３に記載の方法において、前記ウリカーゼ分子の前記第１用量が１２ｍｇであり、かつ前記ウリカーゼ分子の前記次の用量が８ｍｇであり、かつ前記ステロイドの第１用量および前記次の用量が約４０ｍｇ〜約２００ｍｇであることを特徴とする方法。
【請求項１６】
請求項１３に記載の方法において、前記ウリカーゼ分子の前記第１用量が１６ｍｇであり、かつ前記ウリカーゼ分子の前記次の用量が８ｍｇであり、かつ前記ステロイドの前記第１用量および前記次の用量が約４０ｍｇ〜約２００ｍｇであることを特徴とする方法。
【請求項１７】
請求項１〜１６のいずれか一項に記載の方法において、前記ウリカーゼ分子が、約４ｍｇ、約５ｍｇ、約６ｍｇ、約７ｍｇ、約８ｍｇ、約１２ｍｇ、または約１６ｍｇの用量で投与され；かつ前記ステロイドが、約４０ｍｇ〜約２００ｍｇの用量で投与されることを特徴とする方法。
【請求項１８】
請求項１〜１７のいずれか一項に記載の方法において、前記ウリカーゼ分子が、約８ｍｇの用量で投与され、かつ前記ステロイドが、約４０ｍｇ〜約２００ｍｇの用量で投与されることを特徴とする方法。
【請求項１９】
請求項１５または１６に記載の方法において、前記ウリカーゼ分子および前記ステロイドの前記第１用量が、１２０ｋｇを超える体重の患者に投与されることを特徴とする方法。
【請求項２０】
請求項１〜１９のいずれか一項に記載の方法において、前記治療期間が、前記ウリカーゼ分子および前記ステロイドの１回用量、２回用量、３回用量、４回用量、または５回用量を投与することを含むことを特徴とする方法。
【請求項２１】
請求項１〜２０のいずれか一項に記載の方法において、前記治療期間が、前記ウリカーゼ分子および前記ステロイドの３回用量を投与することを含むことを特徴とする方法。
【請求項２２】
請求項１〜２１のいずれか一項に記載の方法において、前記ウリカーゼおよび前記ステロイドの前記投与が共に、前記ウリカーゼ分子の免疫クリアランスを減少し、前記ウリカーゼ分子に応答して抗体産生を低減し、前記ウリカーゼ分子に対する免疫応答を低減し、免疫抑制を増加し、抗原特異的な免疫抑制を増加し、かつ／またはインフュージョン・リアクションを低減することを特徴とする方法。
【請求項２３】
請求項１〜２２のいずれか一項に記載の方法において、前記ウリカーゼ分子および前記ステロイドの用量を１１〜１８日ごとに１回投与することを含むことを特徴とする方法。
【請求項２４】
請求項１〜２３のいずれか一項に記載の方法において、前記ウリカーゼ分子および前記ステロイドの用量を１４日ごとに１回投与することを含むことを特徴とする方法。
【請求項２５】
請求項１〜２４のいずれか一項に記載の方法において、
前記ウリカーゼ分子を約４ｍｇ、約５ｍｇ、約６ｍｇ、約７ｍｇ、約８ｍｇ、または約１２ｍｇの用量で投与することと、
前記ステロイドを約４０ｍｇ〜約２００ｍｇの用量で投与することと、
を含むことを特徴とする方法。
【誤訳訂正書】
【提出日】令和2年9月23日(2020.9.23)
【誤訳訂正１】
【訂正対象書類名】明細書
【訂正対象項目名】００１３
【訂正方法】変更
【訂正の内容】
【００１３】
焼鈍温度及び雰囲気は焼鈍加熱炉中の還元性または酸化性ガスの使用によって変化し得る。ある実施形態では、約３０重量％の水素及び約７０重量％の窒素の気体の組み合わせの雰囲気が使用される。他の実施形態では、１００％窒素、１００％水素、または１００％空気が使用される。解離アンモニアのような他の反応ガスまたはアルゴンのような不活性ガス等はそれ自体で使用され、または水素及び／または窒素雰囲気中に組み合わせられ得る。雰囲気は、「乾燥」（約０°Ｆ（−１７℃））またはそれ以下の露点）、またはいくつかの実施形態では、約−４０°Ｆ（−４０℃）またはそれ以下の露点）及び「多湿」（約＋６０°Ｆ（１５℃）またはそれ以下の露点、またはいくつかの実施形態では、約＋８０°Ｆ（２６．７℃）またはそれ以下の露点）である。乾燥雰囲気は、多湿雰囲気よりもくすんだ、暗い表面を作る傾向がある。焼鈍に浸す時間は、１時間〜７２時間と変化し、より長い時間でより暗い表面となる。温度は、焼鈍装置の能力によって、１０００°Ｆ（５３７．７℃）〜１８００°Ｆ（９８２℃）まで変化し得る。時間ばかりでなく焼鈍温度は、仕上げの上面処理の最終的な色に影響する。
【手続補正書】
【提出日】令和2年10月28日(2020.10.28)
【手続補正１】
【補正対象書類名】特許請求の範囲
【補正対象項目名】全文
【補正方法】変更
【補正の内容】
【特許請求の範囲】
【請求項１】
サーモゲル組成物の調製に有用な凍結乾燥２−［（３−アミノプロピル）アミノ］エタンチオールの調製プロセスであって、
（ａ）アミホスチンの溶液と２．０以下のｐＫａ値を有する強酸とを反応させて２−［（３−アミノプロピル）アミノ］エタンチオールの溶液を得るステップと、
（ｂ）賦形剤が添加されたまたはされていない２−［（３−アミノプロピル）アミノ］エタンチオールの溶液を凍結乾燥するステップと、
を含む、プロセス。
【請求項２】
前記強酸は、塩酸、リン酸、硫酸、およびそれらの混合物からなる群から選択される、請求項１に記載のプロセス。
【請求項３】
前記強酸は、塩酸である、請求項１または２に記載のプロセス。
【請求項４】
前記ステップ（ａ）は、５０℃〜９０℃の範囲で行われる、請求項１〜３のいずれか１項に記載のプロセス。
【請求項５】
前記ステップ（ａ）は、３０分〜２４時間行われる、請求項１〜４のいずれか１項に記載のプロセス。
【請求項６】
前記アミホスチンの濃度は、８０ｍｇ／ｍｌ〜５００ｍｇ／ｍｌの範囲にある、請求項１〜５のいずれか１項に記載のプロセス。
【請求項７】
前記酸のモル濃度は、１Ｍ〜４Ｍの範囲にある、請求項１〜６のいずれか１項に記載のプロセス。
【請求項８】
前記アミホスチンの量と前記酸の量とのモル比は、１：０．５〜１：３の範囲にある、請求項１〜７のいずれか１項に記載のプロセス。
【請求項９】
前記ステップ（ａ）の後且つ前記ステップ（ｂ）の前に、前記賦形剤が添加されたまたはされていない２−［（３−アミノプロピル）アミノ］エタンチオールの溶液を希釈するためのステップ（ａ１）をさらに含む、請求項１〜８のいずれか１項に記載のプロセス。
【請求項１０】
前記ステップ（ａ１）は、水または少なくとも１つのポロキサマーを含む水溶液を、２−［（３−アミノプロピル）アミノ］エタンチオールの溶液に添加するステップを含む、請求項９に記載のプロセス。
【請求項１１】
請求項１〜１０のいずれか１項に記載のプロセスによって得られる、サーモゲル組成物の調製に有用な２−［（３−アミノプロピル）アミノ］エタンチオールの凍結乾燥物。
【請求項１２】
請求項１１に記載の凍結乾燥物を水溶液で再構成するステップを含む、賦形剤が添加されたまたはされていない２−［（３−アミノプロピル）アミノ］エタンチオールのサーモゲル組成物の調製プロセス。
【請求項１３】
請求項１２に記載のプロセスによって得られる２−［（３−アミノプロピル）アミノ］エタンチオールのサーモゲル組成物。
【請求項１４】
抗癌療法、より詳細には、放射線療法および／または化学療法による癌の治療に伴って損傷した粘膜組織または皮膚組織を治療または保護するために使用される、請求項１３に記載のサーモゲル組成物。
【請求項１５】
放射線誘発性口腔粘膜炎を治療するために使用される、請求項１３に記載のサーモゲル組成物。
【請求項１６】
放射線誘発性皮膚紅斑を治療するために使用される、請求項１３に記載のサーモゲル組成物。
【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
マイクロ波照射を使用して水性混合物Ｍを加熱し発泡させることによって、メラミン−ホルムアルデヒド発泡体を製造する方法であって、前記混合物Ｍは少なくとも１種のメラミン−ホルムアルデヒド予備縮合物、少なくとも１種の硬化剤、少なくとも１種の界面活性剤、少なくとも１種の発泡剤及び５００〜１００００ｇ／ｍｏｌの範囲の数平均分子量Ｍｎ及びＯＨ、ＮＨ２又はＣＯＯＨから選択される少なくとも２個の官能基を有する少なくとも１種の線状ポリマーを含むことを特徴とする、メラミン−ホルムアルデヒド発泡体を製造する方法。
【請求項２】
前記線状ポリマーが、３０００〜５０００ｇ／ｍｏｌの範囲の数平均分子量Ｍｎを有する、請求項１に記載の方法。
【請求項３】
前記線状ポリマーが、２３℃で５質量％を超える水溶性を有する、請求項１又は２に記載の方法。
【請求項４】
前記線状ポリマーが、少なくとも２個の末端ヒドロキシル基を含む、請求項１から３のいずれか１項に記載の方法。
【請求項５】
前記線状ポリマーが、炭素、水素及び酸素元素からなる、請求項１から４のいずれか１項に記載の方法。
【請求項６】
１：１．５〜１：４の範囲のメラミン：ホルムアルデヒドのモル比、及び２００ｇ／ｍｏｌ〜１０００ｇ／ｍｏｌの範囲の数平均分子量Ｍｎを有するメラミン−ホルムアルデヒド予備縮合物を使用する、請求項１から５のいずれか１項に記載の方法。
【請求項７】
前記混合物Ｍが、５０〜９０質量％の少なくとも１種のアニオン性界面活性剤と１０〜５０質量％の少なくとも１種の非イオン性界面活性剤との混合物を含む界面活性剤混合物を含み、その質量％が各々前記界面活性剤混合物の総質量に対する、請求項１から６のいずれか１項に記載の方法。
【請求項８】
硬化剤としてギ酸を使用する、請求項１から７のいずれか１項に記載の方法。
【請求項９】
発泡剤としてペンタンを使用する、請求項１から８のいずれか１項に記載の方法。
【請求項１０】
線状ポリマーとしてポリエチレングリコールを使用する、請求項１から９のいずれか１項に記載の方法。
【請求項１１】
ａ）  １００質量部の少なくとも１種のメラミン−ホルムアルデヒド予備縮合物、
２〜４質量部の少なくとも１種の硬化剤、
０．２〜５質量部の界面活性剤混合物、
０．１〜５質量部の無機酸の及び／又は有機カルボン酸の少なくとも１種の塩、
１〜４０質量部の少なくとも１種の発泡剤、
０．１〜５質量部の、５００〜１００００ｇ／ｍｏｌの範囲の数平均分子量Ｍｎ、及びＯＨ、ＮＨ２又はＣＯＯＨから選択される少なくとも２個の官能基を有する少なくとも１種の線状ポリマー、
０〜２０質量部の１種以上のさらなる添加剤、及び
２５〜６０質量部の水、
を含む、水性混合物Ｍを製造する工程、
ｂ）マイクロ波照射を使用して前記混合物Ｍを加熱し発泡させる工程、
ｃ）１５０℃〜２９０℃の温度範囲で熱気及び／又は窒素を使用して発泡体をアニーリングする工程、
を含む、請求項１から１０のいずれか１項に記載の方法。
【請求項１２】
５００〜１００００ｇ／ｍｏｌの範囲の数平均分子量Ｍｎ、及びＯＨ、ＮＨ２又はＣＯＯＨから選択される少なくとも２個の官能基を有する、０．１〜５質量％の少なくとも１種の線状ポリマーを含む、メラミン−ホルムアルデヒド発泡体。
【請求項１３】
密度が８〜１２ｋｇ／ｍ３の範囲にある、請求項１２に記載のメラミン−ホルムアルデヒド発泡体。
【請求項１４】
ＤＩＮ  ＩＳＯ４５９０に従った連続気泡含量が９５％を超える、請求項１２又は１３に記載のメラミン−ホルムアルデヒド発泡体。
【請求項１５】
２５０ｃｍ３のメラミン−ホルムアルデヒド発泡体試料を２５０ｍｌの脱イオン水中に２５℃で浸漬させて圧縮した後、０．３ｍｇ／ｍｌ未満の前記線状ポリマーが水相で検出される、請求項１２から１４のいずれか１項に記載のメラミン−ホルムアルデヒド発泡体。
【請求項１６】
航空機、船舶及び自動車の構造、機械工学又は建物構造における防音及び／又は断熱のための、請求項１２から１５のいずれか１項に記載のメラミン−ホルムアルデヒド発泡体の使用方法。
【手続補正２】
【補正対象書類名】明細書
【補正対象項目名】００３７
【補正方法】変更
【補正の内容】
【００３７】
本発明のメラミン−ホルムアルデヒド発泡体（試料４）及び種々の市販の発泡体（試料１、２、３、５及び６）のｄ９０／ｄ１０比に対する圧縮たわみ力を求めた。具体的には、本発明のメラミン−ホルムアルデヒド発泡体は、１．６５を超える、より好ましくは１．７を超える、最も好ましくは１．８を超えるｄ９０／ｄ１０比を有することが好ましく、２２．４（３．２５ｐｓｉ）を超える、より好ましくは２５．９ｋＰａ（３．７５ｐｓｉ）を超える、最も好ましくは２９．３ｋＰａ（４．２５ｐｓｉ）を超える圧縮たわみ圧力を有することが好ましい。
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
積層造形プロセスを介して三次元物体を形成するための組成物であって：
ａ．第１網目形成性成分であって：
ｉ．ビスフェノールＡ、Ｆ、若しくはＳ型ポリエポキシド、水素化ビスフェノールＡ、Ｆ、若しくはＳ型ポリエポキシド、ポリカーボネート、又はポリイミドを含む主鎖を含み、数平均で少なくとも２個の重合性基を有する第１オリゴマーであって、前記重合性基は、アクリレート、メタクリレート、イタコネート、ビニルエーテル、アリルエーテル、マレエート、又はフマレートを含み、前記第１オリゴマーの数平均分子量は８００〜１００００ｇ／ｍｏｌであり、Ｔｇは、２５℃以上である、第１オリゴマーを、前記第１網目形成性成分の総重量を基準として１９．９５〜８０重量％と；
ｉｉ．前記第１オリゴマーの前記重合性基と（共）重合可能な重合性基を数平均で０．９５〜１．１個有する１種又は複数種の第１網目モノマーであって、前記１種又は複数種の第１網目モノマーから形成される直鎖状ポリマーは、Ｔｇが２５℃以上である、１種又は複数種の第１網目モノマーを、前記網目形成性成分の総重量を基準として１９．９５〜８０重量％と；
ｉｉｉ．前記第１オリゴマー及び前記第１網目モノマーの重合を開始させることができる１種又は複数種の第１網目開始剤を、前記第１網目形成性成分の総重量を基準として０．０５〜５重量％と；
ｉｖ．任意選択的に、前記第１オリゴマー又は前記１種若しくは複数種の第１網目モノマーの前記重合性基と（共）重合可能な重合性基を数平均で２個以上有する、１種又は複数種の更なる第１網目モノマー、オリゴマー、又はポリマーを、１５重量％までと；
からなる、第１網目形成性成分を、前記組成物の総重量を基準として３０〜１００重量％と；
ｂ．任意選択的に、前記第１オリゴマーの前記重合性基と（共）重合しない重合性基を含む１種又は複数種の第２網目化合物と、前記１種又は複数種の第２網目化合物の重合を開始させるための第２網目開始剤と、を含む第２網目形成性成分と；
ｃ．任意選択的に、前記第１オリゴマーの前記重合性基と（共）重合可能な重合性基を含む粒子状フィラーと；
を含む、組成物。
【請求項２】
前記第１網目開始剤は、光開始剤を含む、請求項１に記載の組成物。
【請求項３】
前記組成物の前記重合性基全体の９０％以上を重合させることにより形成されるフィルムは、１５０℃で測定される引張弾性率が３〜５０ＭＰａであり、Ｔｇが４０℃以上である、請求項１又は２に記載の組成物。
【請求項４】
前記重合性基は末端基を含む、請求項１〜３のいずれか一項に記載の組成物。
【請求項５】
前記重合性基は末端基からなる、請求項１〜４のいずれか一項に記載の組成物。
【請求項６】
前記第１オリゴマーは、数平均で２〜３個の末端基を有し、前記組成物中の前記第１オリゴマーの量、数平均分子量、及び末端基の数平均は、次式：
【数１】
2019535845.tif 000001
（式中、Ｒは、気体定数８．３１４ｃｍ３ＭＰａＫ−１ｍｏｌ−１であり、Ｔは、４２３．１５Ｋであり、ｆは、前記第１オリゴマーの末端基の数平均であり、ρは、前記第１オリゴマーの密度（ｇ／ｃｍ３）であり、Ｍｏｌｉｇｏｍｅｒは、前記第１オリゴマーの数平均分子量（ｇ／ｍｏｌ）であり、ｗｏｌｉｇｏｍｅｒは、前記第１網目形成性成分中の前記第１オリゴマーの重量分率であり、Ｘは３であり、Ｙは５０である）を満たす、請求項１〜５のいずれか一項に記載の組成物。
【請求項７】
前記第１オリゴマーの前記主鎖の少なくとも５０ｍｏｌ％は、ビスフェノールＡ、Ｆ、若しくはＳ型ポリエポキシド、水素化ビスフェノールＡ、Ｆ、若しくはＳ型ポリエポキシド、ポリカーボネート、又はポリイミドを含む、請求項１〜６のいずれか一項に記載の組成物。
【請求項８】
前記第１オリゴマーの前記主鎖は、ビスフェノールＡ型ポリカーボネートを含む、請求項１〜７のいずれか一項に記載の組成物。
【請求項９】
前記第１オリゴマーは、数平均で２〜３個の末端基を有する、請求項１〜８のいずれか一項に記載の組成物。
【請求項１０】
前記第１オリゴマーは、数平均分子量が８００〜８０００ｇ／ｍｏｌである、請求項１〜９のいずれか一項に記載の組成物。
【請求項１１】
前記１種又は複数種の第１網目モノマーから形成される直鎖状ポリマーは、Ｔｇが６０℃以上である、請求項４に記載の組成物。
【請求項１２】
前記１種又は複数種の第１網目モノマーは、分子量が３００ｇ／ｍｏｌ以下である、請求項１〜１１のいずれか一項に記載の組成物。
【請求項１３】
前記１種又は複数種の第１網目モノマーは、（メタ）アクリル酸メチル、（メタ）アクリル酸ヒドロキシエチル、（メタ）アクリル酸ヒドロキシプロピル、（メタ）アクリル酸シクロヘキシル、（メタ）アクリル酸ベンジル、（メタ）アクリル酸イソボルニル、又は（メタ）アクリル酸イソブチルを含む、請求項１〜１２のいずれか一項に記載の組成物。
【請求項１４】
請求項１〜１３のいずれか一項に記載の組成物を重合することにより形成される物品であって、前記組成物中の前記重合性基全体の９０％以上を重合することにより形成されるフィルムの、ＡＳＴＭ  Ｄ５０２６に準拠し、ＤＭＴＡにより求められる、１５０℃で測定された引張弾性率は、３ＭＰａ〜５０ＭＰａである、物品。
【請求項１５】
三次元物体を形成する方法であって：
ａ．請求項１〜１４のいずれか一項に記載の組成物の層を形成するステップと、
ｂ．所望の形状を形成するために、前記層を電磁放射により硬化させるステップと、
ｃ．三次元物体を得るために、前記形成ステップ及び前記硬化ステップを複数回繰り返すステップと、
を含む、方法。
【手続補正書】
【提出日】令和2年10月28日(2020.10.28)
【手続補正１】
【補正対象書類名】特許請求の範囲
【補正対象項目名】全文
【補正方法】変更
【補正の内容】
【特許請求の範囲】
【請求項１】
浴槽と、前記浴槽を変位させる機構であって２対のアームを含む機構とを含み、前記２対のアームの各対が、前記浴槽（１）と対向する側にあり、前記アーム（２、３）の各対は、第１の端において、第１の対の関節継手（９、１１）により、フレーム（６、５０）を介してベース（３０）及び／又は壁（３６）に接続されており、第２の端において、第２の対の関節継手（１５、１６）により、ベッド（４）を介して前記浴槽（１）に接続されている、可動浴槽組立体であって、
前記浴槽が入浴位置から、前記浴槽の凹側が前記入浴位置における前記浴槽の中央の場所の方に向けられる垂直位置まで、前記アーム（２、３）の前記対の回転に追従して変位されるように、全てのアーム、継手、及び機構取り付け構造が、前記浴槽（１）の浴槽のレッグ（７）によって前記ベース（３０）上に支持された前記浴槽（１）であって水平方向に中心があり前記入浴位置に位置する前記浴槽（１）の上縁（２９）の下方で、前記浴槽（１）の前記上縁（２９）と前記ベース（３０）と前記浴槽（１）に隣接する前記壁（３６）とによって画定された空間の内部に完全に配置されており、
前記アーム及び前記浴槽（１）は、前記浴槽（１）の軌道を画定する変動リンクを有する４バーリンケージを形成し、
前記アーム（２、３）の移動は、連結要素（１０）により、前記第１の対からの１つのアーム（２、３）の、前記第２の対からの対応するアーム（２、３）までの堅い接続によって前記浴槽（１）の両側面において同期される、
可動浴槽組立体。
【請求項２】
前記アーム（２、３）は、モータ、アクチュエータ、手動、ばね、及び／又はそれらの組み合わせ、の少なくとも１つを用いて変位されることを特徴とする、請求項１に記載の可動浴槽組立体。
【請求項３】
前記可動浴槽組立体は、関節継手（１９）により前記浴槽（１）に、直接的に又は前記ベッド（４）を介して間接的に接続された一対のレッグ（７）であって、直接的に又はレッグ連結要素（８）を介して間接的に、機構アームにより折り畳み可能な、一対のレッグ（７）を含むことを特徴とする、請求項１に記載の可動浴槽組立体。
【請求項４】
前記可動浴槽組立体は、以下の要素すなわち、浴槽（１）ハンドル（２４）、前記浴槽（１）の側面に沿って前記浴槽（１）を機構フレーム（６）と連結する設置システム（２１、２８、８０）、並びに前記入浴位置において及び前記垂直位置において前記浴槽（１）をブロックするロック（１２、１４、２５、２６、２７）、のうちの少なくとも１つを含む、請求項１に記載の可動浴槽組立体。
【請求項５】
前記入浴位置における前記浴槽（１）はエアウォーターマッサージのために使用され、
前記垂直位置における前記浴槽（１）はシャワーマッサージのために使用され、
前記浴槽（１）は、水及び空気ノズル（３７、３８、３９）、バルブ（４２、４３、４４）、サーモスタット（４６）、前記浴槽（１）のリム（２９）上に位置し可撓性供給チューブを備えたハンドシャワーヘッド（４１）及びグリップ、水流を導く主スイッチバルブ（４５）、マッサージ機能を選択及び制御するための制御パネル（６３）、供給制御システム、及び浴槽傾斜検出器（６４）、を含む群から選択された要素を任意の組み合わせにおいて含む、請求項１に記載の可動浴槽組立体。
【請求項６】
前記浴槽（１）は、壁（６０）側において前記浴槽（１）のリム（２９）上に取り付けられた摺動シャワーヘッド（４０）を備え、前記摺動シャワーヘッド（４０）は、前記浴槽（１）が前記入浴位置にある場合に入浴中の人のためのヘッドレストを提供するような形状を有し、前記垂直位置では、前記浴槽（１）に隣接して立っている人によって上部シャワーとして使用可能であるような高さまで出され、前記浴槽（１）を前記入浴位置まで下げる間、前記摺動シャワーヘッド（４０）は浴槽（１）の壁（６０）の背後にしまい込まれる、請求項１に記載の可動浴槽組立体。
【請求項７】
排水除去システムが浴槽（１）の出口穴（３２）を、前記入浴位置において、前記ベース（３０）内の排水流出点に、パイプ（５１）及び／又は可撓性チューブ（４９）と、浴槽（１）の前記垂直位置において同心状に折り畳まれるマッシュルーム排出物出口（３３）とを含むシステムを介して接続する、請求項１に記載の可動浴槽組立体。
【請求項８】
前記浴槽の前記垂直位置における浴槽下壁（５９）は、前記浴槽下壁（５９）がシートを構成するような前記ベース（３０）の上方の高さにその中央部が位置し、且つ前記浴槽下壁（５９）がシートを構成するような形状をその中央部において有する、請求項１に記載の可動浴槽組立体。
【請求項９】
前記可動浴槽組立体は、前記浴槽（１）の両側面において浴槽（１）側壁と前記機構とを覆う保護及び装飾カバープレート（５２、５３）を含む、請求項１に記載の可動浴槽組立体。
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
クラウドベースのゲームシステムであって、
それぞれ動作センサ及びタッチ画面を有する複数の制御機器と、
ゲームルールエンジンを含むゲームサーバと、
複数の表示機器と
を含み、前記複数の制御機器及び表示機器は、インターネットを介して前記ゲームサーバに接続され、
前記ゲームルールエンジンは、並行してプレイされる複数のゲームについて、複数のユーザーのためのゲームプレイを管理し、各ユーザーは、各ゲームのプレイを制御する制御機器の１つを使用し、
前記ゲームサーバは、プレイされている各ゲームを制御するために前記制御機器の各々から動作センサデータを受信し、前記動作センサデータは、各ゲームについてゲームイベントを制御する傾斜ジェスチャに関する、クラウドベースのゲームシステム。
【請求項２】
前記動作センサデータは、ジャイロスコープ及び加速度計からのデータを含む、請求項１に記載のゲームシステム。
【請求項３】
前記ゲームサーバによる前記ゲームの制御は、計算された最大角速度が所定の閾値を超えるか否かを判定し、且つ超える場合に所定のゲームイベントを選択することを含む、請求項１に記載のゲームシステム。
【請求項４】
前記ゲームサーバによる前記ゲームの制御は、バスケットボールをシュートすること、アメリカンフットボールをスローイングすること及びボウリングボールを投球することの１つのアニメーションを含む、請求項１に記載のゲームシステム。
【請求項５】
前記ゲームサーバによる前記ゲームの制御は、前記計算された最大角速度に比例する初速を有する仮想オブジェクト軌道を描画することを含む、請求項３に記載のゲームシステム。
【請求項６】
前記ゲームサーバによる前記ゲームの制御は、テニスボールを打つこと、野球ボールを投球すること、野球ボールを打つこと、ホッケーパックを打つこと、サッカーボールを蹴ること、釣り竿をキャスティングすること及びボクシングのパンチの１つのアニメーションを含む、請求項１に記載のゲームシステム。
【請求項７】
前記ゲームサーバによる前記ゲームの制御は、ジェスチャの強度に関する視覚的フィードバックをユーザーに提供するグラフィックを描写することを含む、請求項１に記載のゲームシステム。
【請求項８】
前記描写されたグラフィックは、前記制御機器の１つに表示される、請求項７に記載のゲームシステム。
【請求項９】
前記ゲームは、仮想現実ゲームである、請求項１に記載のゲームシステム。
【請求項１０】
前記複数の制御機器は、スタジアムにある、請求項１に記載のゲームシステム。
【請求項１１】
少なくとも１つの表示機器は、スタジアムのデジタルボードである、請求項１に記載のゲームシステム。
【請求項１２】
前記ゲームは、仮想現実ゲームである、請求項１に記載のゲームシステム。
【手続補正書】
【提出日】令和2年10月23日(2020.10.23)
【手続補正１】
【補正対象書類名】明細書
【補正対象項目名】００７７
【補正方法】変更
【補正の内容】
【００７７】
本明細書で言及した全ての参考文献及び刊行物は、これらが本開示に直接矛盾し得る場合を除き、これらの全体が参照により本開示に明示的に組み込まれる。本開示の例示的実施形態を検討すると共に本開示の範囲内の可能な変形例を参照してきた。本開示のこれらの及び他の変形例及び変更例は本開示の範囲から逸脱することなく当業者に明らかであろう。本開示は本明細書に記載された例示的実施形態に限定されないことを理解すべきである。したがって、本開示は、下記に提供されている特許請求の範囲によってのみ限定されるべきである。以下、例示的実施形態について述べる。
［１］
マスク本体を備える濾過フェースピースレスピレータであって、前記マスク本体は、
内側カバーウェブと、
外側カバーウェブと、
前記マスク本体の濾過領域内において前記内側カバーウェブと前記外側カバーウェブとの間に配置された濾材と、
中心線の両側の右側部分及び左側部分であって、前記右側部分及び前記左側部分は前記マスク本体の外周部によって境界付けられている、右側部分及び左側部分と、
前記マスク本体の前記外周部の少なくとも一部分に沿って配置された折り畳み可能ゾーンと、
前記マスク本体の補強ゾーンを画定するように前記マスク本体の上部領域内に配置されている補強要素であって、前記補強ゾーンは、前記折り畳み可能ゾーンにより少なくとも部分的に囲まれており、前記補強要素は、前記マスク本体の前記右側部分と前記左側部分との間の前記中心線を横切って延び、前記補強要素は、前記中心線に平行な方向に測定したとき、少なくとも約５ｍｍかつ約５０ｍｍ以下の幅を備え、更に、前記マスク本体上の、前記外周部の上側外周部セグメントと前記補強要素との間の前記中心線に沿った距離は約５ｍｍ以下である、補強要素と、
を備える、濾過フェースピースレスピレータ。
［２］
前記補強要素は、少なくとも約５０ｇｓｍかつ約２００ｇｓｍ以下の坪量を含む、［１］に記載のレスピレータ。
［３］
前記補強要素は、少なくとも約１００ｇｓｍかつ約１５０ｇｓｍ以下の坪量を含む、［２］に記載のレスピレータ。
［４］
前記マスク本体の前記折り畳み可能ゾーンの曲げ力は、前記マスク本体の前記補強ゾーンの曲げ力よりも小さい、［１］〜［３］のいずれか一項に記載のレスピレータ。
［５］
前記折り畳み可能ゾーンの前記曲げ力は、前記補強ゾーンの前記曲げ力の９０％以下である、［４］に記載のレスピレータ。
［６］
前記補強要素を含む前記濾過フェースピースレスピレータの圧力降下は、前記補強要素を含まない前記濾過フェースピースレスピレータの圧力降下の３％以下である、［１］〜［５］のいずれか一項に記載のレスピレータ。
［７］
前記補強要素は、不織材料を備える、［１］〜［６］のいずれか一項に記載のレスピレータ。
［８］
前記補強要素は、メッシュを備える、［１］〜［７］のいずれか一項に記載のレスピレータ。
［９］
前記マスク本体は、前記マスク本体の前記上部の前記中心線に沿った垂直折り目を更に備え、前記補強要素は、前記垂直折り目を通って延びている、［１］〜［８］のいずれか一項に記載のレスピレータ。
［１０］
前記マスク本体は、前記垂直折り目と前記マスク本体の下側外周部セグメントとの間の前記中心線に沿って延びているシールを更に備え、前記シールは、前記右側部分及び前記左側部分それぞれの中央領域と下部領域とを互いに接続する、［９］に記載のレスピレータ。
［１１］
前記補強要素は、前記マスク本体の前記右側部分及び前記左側部分の前記中央領域及び前記下部領域内に延びていない、［９］又は［１０］に記載のレスピレータ。
［１２］
前記補強要素は、前記マスク本体の前記右側部分の前記外周部と前記マスク本体の前記左側部分の前記外周部との間に延びている、［１］〜［１１］のいずれか一項に記載のレスピレータ。
［１３］
前記マスク本体の前記右側部分から延びている右側タブと前記マスク本体の前記左側部分から延びている左側タブとを更に備え、前記右側タブ及び前記左側タブは前記折り畳み可能ゾーン内に配置されている、［１］〜［１２］のいずれか一項に記載のレスピレータ。
［１４］
前記マスク本体の前記折り畳み可能ゾーンは、着用者の顔面に少なくとも部分的に適合するように構成されたフェースシールを画定する、［１］〜［１３］のいずれか一項に記載のレスピレータ。
［１５］
前記補強要素は、前記内側カバーウェブと前記外側カバーウェブのうちの少なくとも１つに、溶接線によって接続されている、［１］〜［１４］のいずれか一項に記載のレスピレータ。
［１６］
前記補強要素は前記折り畳み可能ゾーン内に延びていない、［１］〜［１５］のいずれか一項に記載のレスピレータ。
［１７］
前記補強要素は、試験開口部直径１インチ、オリフィス８ｍｍ、及び水圧１／１００インチを用いてＡＳＴＭ  Ｄ７３７−０４（２０１６）を使用して測定された少なくとも約５００ｃｆｍ／ｆｔ２かつ約１２００ｃｆｍ／ｆｔ２以下の空気透過性を含む、［１］〜［１６］のいずれか一項に記載のレスピレータ。
［１８］
前記補強要素は、支持層５０ｇｓｍを用いてＴ  ５４３ｏｍ−１１（２０１１）を使用して測定された少なくとも約１ｍｇｆかつ約１０ｍｇｆ以下の剛軟度を含む、［１］〜［１７］のいずれか一項に記載のレスピレータ。
【手続補正２】
【補正対象書類名】特許請求の範囲
【補正対象項目名】全文
【補正方法】変更
【補正の内容】
【特許請求の範囲】
【請求項１】
マスク本体を備える濾過フェースピースレスピレータであって、前記マスク本体は、
内側カバーウェブと、
外側カバーウェブと、
前記マスク本体の濾過領域内において前記内側カバーウェブと前記外側カバーウェブとの間に配置された濾材と、
中心線の両側の右側部分及び左側部分であって、前記右側部分及び前記左側部分は前記マスク本体の外周部によって境界付けられている、右側部分及び左側部分と、
前記マスク本体の前記外周部の少なくとも一部分に沿って配置された折り畳み可能ゾーンと、
前記マスク本体の補強ゾーンを画定するように前記マスク本体の上部領域内に配置されている補強要素であって、前記補強ゾーンは、前記折り畳み可能ゾーンにより少なくとも部分的に囲まれており、前記補強要素は、前記マスク本体の前記右側部分と前記左側部分との間の前記中心線を横切って延び、前記補強要素は、前記中心線に平行な方向に測定したとき、少なくとも約５ｍｍかつ約５０ｍｍ以下の幅を備え、更に、前記マスク本体上の、前記外周部の上側外周部セグメントと前記補強要素との間の前記中心線に沿った距離は約５ｍｍ以下である、補強要素と、
を備える、濾過フェースピースレスピレータ。
【請求項２】
前記補強要素は、少なくとも約５０ｇｓｍかつ約２００ｇｓｍ以下の坪量を含む、請求項１に記載のレスピレータ。
【請求項３】
前記補強要素は、少なくとも約１００ｇｓｍかつ約１５０ｇｓｍ以下の坪量を含む、請求項２に記載のレスピレータ。
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
被検体に対する複数のＸ線フレームデータを保存する保存部と、
前記複数のＸ線フレームデータのうちの少なくとも一部の第１グループＸ線フレームデータで第１Ｘ線画像を再構成し、前記複数のＸ線フレームデータのうちの少なくとも一部の第２グループＸ線フレームデータで第２Ｘ線画像を再構成する画像処理部と、
画面を提供するディスプレイ部と、
前記画面に背景画像表示部、及び該背景画像表示部内の一部分に配置される部分画像表示部を表示し、前記背景画像表示部に前記第１Ｘ線画像を表示し、前記部分画像表示部に前記第１Ｘ線画像に対応する前記第２Ｘ線画像の一部を表示するビューアモジュールと、を含み、
前記第１グループＸ線フレームデータと前記第２グループＸ線フレームデータとは少なくとも一部が異なり、
前記第２Ｘ線画像は少なくとも一つのイメージレイヤーに対するＸ線トモグラフィー画像である、前記第１X線画像は２次元X線セファロ画像である、Ｘ線画像表示装置。
【請求項２】
前記被検体を挟んで互いに対向するＸ線ジェネレータとＸ線センサー、及び
前記Ｘ線ジェネレータと前記Ｘ線センサーを一定の軌跡に沿って移動させる駆動部をさらに含み、
前記複数のＸ線フレームデータは、前記Ｘ線ジェネレータと前記Ｘ線センサーの一回の撮影シーケンスを介して得られる、請求項１に記載のＸ線画像表示装置。
【請求項３】
ユーザー操作のための入力部をさらに含み、
前記画像処理部は、前記ユーザー操作によって前記少なくとも一つのイメージレイヤーの数量、位置、形状、角度及び厚さのうちの少なくとも一つを変更し、変更されたイメージレイヤーに対する第２Ｘ線画像を再構成し、
前記ビューアモジュールは、前記部分画像表示部に、前記第１Ｘ線画像に対応する前記変更されたイメージレイヤーに対する第２Ｘ線画像の一部を表示する、請求項１に記載のＸ線画像表示装置。
【請求項４】
ユーザー操作のための入力部をさらに含み、
前記画像処理部は、前記ユーザー操作によって前記部分画像表示部の位置、大きさ、形状及び数量のうちの少なくとも一つを変更する、請求項１に記載のＸ線画像表示装置。
【請求項５】
ユーザー操作のための入力部をさらに含み、
前記画像処理部は、前記少なくとも一つのイメージレイヤーの数量、位置、形状、角度及び厚さのうちの少なくとも一つが他の複数の第２Ｘ線画像を再構成し、
前記ビューアモジュールは、前記ユーザー操作に応じて前記複数の第２Ｘ線画像のいずれかを前記部分画像表示部に表示する、請求項１に記載のＸ線画像表示装置。
【請求項６】
前記画像処理部は、前記第２グループＸ線フレームデータで前記少なくとも一つのイメージレイヤーの各点を一定の角度範囲で透過するＸ線フレームデータグループを生成し、前記Ｘ線フレームデータグループで前記第２Ｘ線画像を再構成する、請求項１に記載のＸ線画像表示装置。
【請求項７】
前記画像処理部は、前記Ｘ線フレームデータグループを前記少なくとも一つのイメージレイヤーの前記各点に逆投影する、請求項６に記載のＸ線画像表示装置。
【請求項８】
前記第１Ｘ線画像は少なくとも一つの第１イメージレイヤーに対する第１Ｘ線トモグラフィー画像であり、
前記第２Ｘ線画像は少なくとも一つの第２イメージレイヤーに対する第２Ｘ線トモグラフィー画像であり、
前記第１、第２イメージレイヤーは数量、位置、形状、角度及び厚さのうちの少なくとも一つが異なる、請求項１に記載のＸ線画像表示装置。
【請求項９】
前記第１、第２Ｘ線トモグラフィー画像がＸ線パノラマ画像である、請求項８に記載のＸ線画像表示装置。
【請求項１０】
保存部、画像処理部、ディスプレイ部及びビューアモジュールを含むＸ線画像表示装置のＸ線画像表示方法であって、
前記保存部に被検体に対する複数のＸ線フレームデータが保存される段階と、
前記画像処理部が前記複数のＸ線フレームデータのうちの少なくとも一部の第１グループＸ線フレームデータで第１Ｘ線画像を再構成し、前記複数のＸ線フレームデータのうちの少なくとも一部の第２グループＸ線フレームデータで第２Ｘ線画像を再構成する段階と、
前記ビューアモジュールが前記ディスプレイ部の画面に背景画像表示部、及び該背景画像表示部内の一部分に配置される部分画像表示部を表示し、前記背景画像表示部に前記第１Ｘ線画像を表示し、前記部分画像表示部には前記第１Ｘ線画像に対応する前記第２Ｘ線画像の一部を表示する段階と、を含み、
前記第１グループＸ線フレームデータと前記第２グループＸ線フレームデータとは少なくとも一部が異なり、
前記第２Ｘ線画像は少なくとも一つのイメージレイヤーに対するＸ線トモグラフィー画像である、Ｘ線画像表示方法。